(57)【要約】【課題】ガソリンとか油類の液を保管するタンクに、タンク内油量表示棒をタンクの穴に押し込むだけで誰でも安易に液量を確認することができるタンク内油量表示棒を提供する。【解決手段】浮きゲージ棒２に浮きフロート１が最低位置のストップ軸９の上に位置した場合、筒４上面に合致する浮きゲージ棒２の位置に赤色表示部上３ａを設け、タンクに油液を挿入すると、浮きガイドパイプ８の下面からの挿入油液が浮きフロート１を押し上げ、液面が所定のレベルに達した時に、浮きフロート１と浮きゲージ棒２が一体に上まで押し上げられ、浮き上がったゲージ棒２が筒４上面と合致する浮きゲージ棒２の位置に赤色または黄色の表示部下３ｂを設け、誰でも外部からこれを確実に目視・確認できるようになっている。【選択図】  図２
0003113064.tif 000002
【実用新案登録請求の範囲】
【請求項１】
タンクの蓋に明けられた穴に、別体として、浮きフロートと浮きゲージ棒を有するタンク内油量表示棒装置を、浮きゲージ棒に浮きフロートが最低位置のストップ軸の上に位置した場合、筒上面に合致する浮きゲージ棒の位置に赤色表示部上を設け、タンクに油液を挿入すると、浮きガイドパイプの下面からの挿入油液が浮きフロートを押し上げ、液面が所定のレベルに達した時に、浮きフロートと浮きゲージ棒が一体に上まで押し上げられ、浮き上がったゲージ棒が筒上面と合致する浮きゲージ棒の位置に赤色または黄色の表示部下を設け、誰でも外部からこれを確実に目視・確認できることを特徴とするタンク内油量表示棒。
【請求項２】
請求項１のタンク内油量表示棒において、浮きゲージ棒に赤色表示部上だけを設けたことを特徴とする請求項１記載のタンク内油量表示棒。
【考案の詳細な説明】
【技術分野】
【０００１】  本考案は、タンク内液量を表示する棒に関するものである。
【背景技術】
【０００２】  従来、タンク内に液がどのくらいあるか外部に表示させる装置としては、一般に簡単な構造ではない種々の形式のものが知られている。
その中でも比較的簡単ではないかと形成された「液面計」はすでに実用新案公報平０２−９７７９５号にて出願されている（特許文献１参照。）。【０００３】
【技術文献１】
実願平０２−９７７９５号公報
【考案の開示】
【考案が解決しようとする課題】
【０００４】  しかし、本出願は液面計の指針が、液面が所定のレベルに達したとき、その液量を外部から目視できることを特徴とする形態にて形成させているが、この先願はフロートと指針を別体として、いずれか一方または双方を伝熱性の小さい素材にて形成すると共に、これらを水平及び垂直方向の動きを規制する装置そのものをタンクガイド内に固定し、固着し、ガイドの液面計形態を示している。【０００５】  しかも、指針の上端部はキャップにて覆われ、例えキャップが透明材料にて構成されていても、液面がオーバーされても指針はキャップ内面にて抑えられる構造となっている。【０００６】  本考案は、このような従来の構成が示している形態、即ち、指針の上端部がキャップにて覆われいる点。フロートと指針を別体として、いずれか一方または双方を伝熱性の小さい素材にて形成される点。液面計自体がタンクガイド内に固定し、固着し形成されている点等とは異なり
本考案はタンク１４の上蓋面にあけられている穴１３にタンク内油量表示棒をそのたびに嵌め置き、タンク１４が油にて満たされるに従い、棒２が盛り上がり、ガイド穴６より上昇する見識手段とを備えた、今までに無いタンク蓋１０の穴１３に自由に置くことによりタンク１６内に満ちる油面観察機能を備えたタンク内油量表示を示す浮きゲージ２及びその満ちる状況を作業者に与えることを目的とするものである。
【課題を解決するための手段】
【０００７】  本考案は上記目的を達成する為に
（１）まず浮きゲージ棒２の片端に浮きフロート１を一体に接着合体した形態にし、本考      案の筒キャップ７のガイド穴６を通して一体に形成する。
（２）上記筒キャップ７は浮きガイドパイプ８と一体に装着させ、浮きガイドパイプ８は      等パイプ形式でも良く、また、図１のように下は浮きフロート１とほぼ同じ大きさ      であるが、筒キャップ７嵌入場所は少々広がってもよい。
（３）ガイド穴６は浮きゲージ棒２よりも少し大きめに形成させることが良く、浮きゲー      ジ棒２が浮きフロート１の浮き動作により、軽く浮き上がられるように形成されて      いる。
（４）次に浮きガイドパイプ８の下端部にストップ軸９か設定され、このストップ軸９の      上に浮きフロート１の下面が常時安定して維持されるよう、固着構成されている。
（５）浮きゲージ棒２の上部分には赤色表示部上３ａが、下部には赤色表示部下３ｂが表      示される。この表示は浮きゲージ棒２に塗装が棒表面に浮かないように形成させる      ことが大切である。
（６）この赤色表示部上３ａが、下部には黄色表示部下３ｂにて表示されても良く、また      、上部の赤色表示部上３ａだけでも良い。
（７）最も基本的な表示部位置の設定は、図１に示すように浮きフロート１が最下位に位      置する時に浮きゲージ棒２が筒４の上面位置に位置したところに表示部３ａを形成      させることが原則であり、また、図２に示すように浮きフロート１が浮き上がり筒      キャップ７に突き当たり停止させられた時点に、筒４の上面位置に位置したところ      に表示部３ｂを形成させることを原則とするが、勿論、表示部上３ａの表示だけで      も良く、
表示部下３ｂの表示だけでも差し支えない。
（８）また、筒外面４ａの上部外面にギザ滑り止め１２を構成させても良く、構成させな      くても良い。
（９）全体的に材料は少し重みのある鉄製金属にて構成させることを原則とするが、一部      をスチール製に、銅金属に、合金製に種々変更して構成することも可能である。
（１０）要は、本考案はタンク内油量表示棒を、例えば扉に使用するカギみたいにあらゆ      る扉にも用いることができる満タン油量表示棒であると解釈されることが望ましい      。即ち、一つの満タン油量表示棒を用い、あらゆるタンクにも使用満タンできると      言うことである。
等それぞれの基本的作用形態手段にて構成させる。
【考案の効果】
【０００８】  本考案の最大の効果はタンク１４のタンク蓋１０表面に満タンを表示させる機能を、油を挿入するタンク１４の上面の穴１３に挿入するだけで誰でも簡単に油を満タンにして供給させる効果があり、満タン・中味確認が簡単である。
次に、穴１３に挿入する満タン油量表示棒を空のタンク１４に再び装着し、誰でも簡単に油を挿入し、いろんなタンクの満タンを感知させることができる効果を持っている。
即ち、中味が黙認できる。
上記作用により、今までタンク１４にいちいち油量計を装着固定させていたタンクと異なり、いろんなタンクにも使用でき、今までに得られない秒的作用感知効果をも発揮させており、取付取り外しも簡単である。
また、中味が黙認でき、中味がわかる為にタンク１４に入れる量を調節でき、従来の一杯になるように音で聞いたり、タンク１４を揺すったりして中に入っているか否か確認する必要が無くなった。
この考案の最大の効果は中味が確認できることであり、本考案のゲージ４を外し他のタンク１４のタンク蓋１０に入れることが簡単にできることであると云える。
特に筒キャップ７の下面に満油感知機能を設置した場合とか、また、筒内面４ｂ内に表示部下３ｂの上昇定位置をキャッチできる満油感知機能を設置した場合とか、簡単に自動的停止をさせる機能をも別にセットできる。
【考案を実施するための最良の形態】
【０００９】  考案を実施するための本考案の形態として
【課題を解決するための手段】
として述べた基本的作用形態手段にて構成させることにより最良の形態を維持させることができる。
【実施例】
【００１０】  本考案は、図１には浮きフロート１がまだ浮かない場合を示し、図２は油上面１１が満タン位置となり浮きフロート１が最上位置に上昇、停止し、表示部下３ｂが筒上面位置と一致した場合を示している。【００１１】  図３はタンク１４のタンク蓋１０にのぞき口１５と反対側に本考案のタンク内油量表示棒を挿入することができる穴１３が明けられており、どんなものにも穴さえ明けたらどんなものにも本考案は使用できる。【００１２】筒４はほぼ４〜５センチ程の大きさにて一般に形成される場合が多いが、用途により筒の大きさを決定してよい。浮きガイドパイプの長さも同じである。【００１３】浮きフロート１は一般に合成樹脂製の中空状の浮き部材として構成されており、浮きゲージ棒２は合成樹脂製の棒でも、ステンレス製、スチール製とか、軽い木製の棒であっても差し支えない。軽く浮き作用が良好であればよい。【００１４】  尚、図２には浮きフロート１が筒キャップ７との接触位置まで上昇させている図にて示されているが、勿論、浮きフロート１と筒キャップ７の間に適当な隙間があっても差し支えない。【００１５】一方、筒４並びに浮きガイドパイプ８等は比較的重みのある鉄製パイプを使用し、鉄金属を互いに溶接して形成させる。
浮きフロート１と浮きゲージ棒２は浮きガイドパイプ８の下からガイド穴６を通し、挿入させた後、浮きガイドパイプ８の下部にストップ軸９を嵌入し浮きフロート１を維持させる。【００１６】  ギザ滑り止め１２は設けても、設けなくても差し支えない。
【産業上の利用可能性】
【００１７】  本考案の産業上の利用可能性は、最大のメリットはこの装置を使用することにより、満タンになればこの装置を引き抜き、次に他の油タンクの穴１３にタンク内油量表示棒を差込み、他の穴１３から他のタンクの中に油を、帯油量を平均量近く維持し装着することが出来るため、産業上の利用可能性に大きな効果を与える。
【図面の簡単な説明】
【００１８】
【図１】浮きフロートストップ軸底点静止実施形態を示す斜視説明図
【図２】浮きフロートが上昇点到達実施形態を示す断面図
【図３】タンク蓋穴に突込んで実施する状態を示す参考図
【符号の説明】
【００１９】１      浮きフロート
２      浮きゲージ棒
３ａ    表示部上
３ｂ    表示部下
４      筒
４ａ    筒外面
４ｂ    筒内面
５      筒底面
６      ガイド穴
７      筒キャップ
８      浮きガイドパイプ
９      ストップ軸
１０    タンク蓋
１１    油上面
１２    滑り止めギザ
１３    穴
１４    タンク
１５    のぞき口
【図１】
0003113064.tif 000003
【図２】
0003113064.tif 000004
【図３】
0003113064.tif 000005